(57)【要約】      （修正有）【課題】  複数の歯科用シェードガイドと患者の歯牙との同時撮影に際し、色見本体の色調を表す記号をフレーム内に収めるべく撮影しても歯牙からの撮影距離を遠くさせることなく歯牙と歯科用シェードガイドとを大きく詳細に写真撮影可能であり、更に、色見本体を板状のハンドル部に対して略直角に回転させハンドル部を重ねて合わせて持って使用する場合であっても、全ての歯科用シェードガイドの記号を表示することができる歯科用シェードガイドを提供する。【解決手段】  板状のハンドル部１の一端１ａ有するタグ３とが取り付けられた歯科用シェードガイドであって、タグ３は色見本体２の舌面側に取り付けられており色見本体２の唇面側から見たときにタグ３の記号表示部３ａが色見本体２の歯根方向端又は横側のみから突出して確認される歯科用シェードガイドとする。【選択図】  図３ａ
2006006591.tif 000002
【特許請求の範囲】
【請求項１】
板状のハンドル部（１）の一端（１ａ）に軸（１ｂ）を中心として回動可能に、前歯の人工歯の形態を模した色見本体（２）と記号表示部（３ａ）を有するタグ（３）が取り付けられた歯科用シェードガイドであって、タグ（３）は色見本体（２）の舌面側に取り付けられており色見本体（２）の唇面側から見たときにタグ（３）の記号表示部（３ａ）が色見本体（２）の歯根方向端又は横側のみから最大１〜１５ｍｍ突出して確認されることを特徴とする歯科用シェードガイド。
【請求項２】
記号表示部（３ａ）が色見本体（２）の歯根方向端からのみから突出して確認される状態でタグ（３）が色見本体（２）と固定されており、タグ（３）と色見本体（２）とが軸（１ａ）を中心として一体で回動可能に取り付けられている請求項１に記載の歯科用シェードガイド。
【請求項３】
板状のハンドル部（１）の一端（１ａ）に軸（１ｂ）を中心として回動可能に前歯の人工歯の形態を模した色見本体（２）が取り付けられた歯科用シェードガイドにおいて、色見本体（２）が歯根方向端に記号表示部（３ａ）を有することを特徴とする歯科用シェードガイド。
【発明の詳細な説明】
【技術分野】
【０００１】
本発明は、歯科用補綴物の作製に際して審美性に優れた色調を選択する為に用いる歯科用シェードガイドに関する。
【背景技術】
【０００２】
歯科用補綴物として歯科用ポーセレン等の審美性に優れた材料を使用する場合に、歯科医師は患者の歯牙の色を指示書に記入して同色の歯科用補綴物を技工士に作製するよう指示する。より詳細な情報を技工士へ伝えるためにデジタルカメラ等のカメラで患者の歯牙と歯科用シェードガイドと呼ばれる歯牙の色見本体とを同時に写した写真を送る場合もある。色調の異なる複数の歯科用シェードガイドと患者の歯牙とが同時に撮影された写真は、実際に補綴物を作製する技工士へ患者の歯牙の色調を視覚的に伝えられるので技工士は写真中の複数の歯科用シェードガイドの色調を参考にして歯科用補綴物を作製することができる。
【０００３】
しかし従来の歯科用シェードガイドは、一般的には板状のハンドル部の一端に軸を中心として回動可能に前歯の人工歯の形態を模した色見本体（以後、単に色見本体と表現することがある。）が取り付けられた形状をしており、多くの歯科用シェードガイドでは色見本体が取り付けられている一端側のハンドル部の幅が細く形成された首部を有する。そして、色見本体の色調を表す例えばＡ２，Ｃ３等の記号は色見本体がどのように回転しても確認できる位置、即ち多くの場合には首部より下のハンドル部に色見本体から離れて表示されていた（例えば、特許文献１〜３参照。）。
【０００４】
このような従来の歯科用シェードガイドでは、色見本体の色調を表す記号が色見本体と離れて表示されているので例えば図１に示したように複数本の歯科用シェードガイドを患者の複数の歯牙Ｔと同時に撮影しようとすると、色見本体２の色調を表す記号Ｍを写真のフレーム内に収めるべく撮影するので患者の歯牙からの撮影距離が遠くなってしまい歯牙と歯科用シェードガイドが大きく詳細に写せないと言う問題があった。
【０００５】
また図２に示したように、前歯の人工歯の形態を模した色見本体２を板状のハンドル部１に対して略直角に回転させ板状のハンドル部１を複数重ね合わせて持って使用することも多い。しかし、従来の歯科用シェードガイドでは色見本体２の色調を表す記号Ｍが板状のハンドル部１のみにしか表示されていないので最前にあるハンドル部１に記載されている記号Ｍだけしか写真で確認できないと言う問題があった。
【０００６】
【特許文献１】特表２００３−５１３７４３号公報  図３
【特許文献２】米国特許第４９１９６１７号公報
【特許文献３】米国特許第５２５７９３１号公報
【発明の開示】
【発明が解決しようとする課題】
【０００７】
そこで本発明は、色調の異なる複数の歯科用シェードガイドと患者の歯牙との同時撮影に際し、色見本体の色調を表す記号をフレーム内に収めるべく撮影しても患者の歯牙からの撮影距離を遠くさせることなく歯牙と歯科用シェードガイドを大きく詳細に写真撮影可能な歯科用シェードガイドであり、更に、色見本体を板状のハンドル部の長手方向に対して略直角に回転させ板状のハンドル部を重ねて合わせて持って使用する場合であっても、全ての歯科用シェードガイドの記号を表示することが可能な歯科用シェードガイドを提供することを課題とする。
【課題を解決するための手段】
【０００８】
即ち本発明は、板状のハンドル部の一端に軸を中心として回動可能に、前歯の人工歯の形態を模した色見本体と記号表示部を有するタグが取り付けられた歯科用シェードガイドであって、タグは色見本体の舌面側に取り付けられており色見本体の唇面側から見たときにタグの記号表示部が色見本体の歯根方向端又は横側のみから最大１〜１５ｍｍ突出して確認されることを特徴とする歯科用シェードガイドであり、記号表示部が色見本体の歯根方向端からのみ突出して確認される状態でタグが色見本体と固定されており、タグと色見本体とが軸を中心として一体で回動可能に取り付けられている歯科用シェードガイドであることが好ましい。
【０００９】
また、もう一つの発明としては、板状のハンドル部の一端に軸を中心として回動可能に前歯の人工歯の形態を模した色見本体が取り付けられた歯科用シェードガイドにおいて、色見本体が歯根方向端に記号表示部を有することを特徴とする歯科用シェードガイドである。
【発明の効果】
【００１０】
本発明は、色調の異なる複数の歯科用シェードガイドと患者の歯牙との同時撮影に際し、色見本体の色調を表す記号をフレーム内に収めるべく撮影しても患者の歯牙からの撮影距離を遠くさせることなく歯牙と歯科用シェードガイドを大きく詳細に写真撮影可能な歯科用シェードガイドであり、更に、色見本体を板状のハンドル部の長手方向に対して略直角に回転させ板状のハンドル部を重ねて合わせて持って使用する場合であっても、全ての歯科用シェードガイドの記号を表示することが可能な歯科用シェードガイドである。
【発明を実施するための最良の形態】
【００１１】
以下、図面により本発明に係る歯科用シェードガイドについて詳細に説明する。
【００１２】
図１は従来の歯科用シェードガイドを複数用いて撮影した場合の写真を模式的に示す説明図。図２は従来の歯科用シェードガイドを複数用いて写真を撮影した場合の、色見本体を板状のハンドル部の長手方向に対して略直角に回転させ板状のハンドル部を重ね合わせて持って使用した状態を模式的に示す説明図。図３ａは本発明に係る歯科用シェードガイドの一実施例を示す正面図。図３ｂは図３ａに示した歯科用シェードガイドの背面図。図４は図３に示した歯科用シェードガイドの色見本体を板状のハンドル部の長手方向に対して略直角に回転させた状態を示す正面図。図５は図３に示した歯科用シェードガイドを複数用いて撮影した場合の写真を模式的に示す説明図。図６は図３に示した歯科用シェードガイドを複数用いて写真を撮影した場合の、色見本体を板状のハンドル部の長手方向に対して略直角に回転させ板状のハンドル部を重ね合わせて持って使用した状態を模式的に示す説明図。図７は本発明に係る歯科用シェードガイドの他の発明の一実施例を示す正面図である。
【００１３】
図３は本発明に係る歯科用シェードガイドの一例を示した正面説明図である。図面中の１は、歯科用シェードガイドを使用する際に手で持つためのハンドル部であり、また一般的な歯科用シェードガイドと同様に、特表２００３−５１３７４３号公報「歯科用補綴物シェードガイドおよび歯科用修復物色調を選択する方法」の図１に示されるような歯科用シェードガイドのホルダーに挿入するための挿入部とすることもできる。
【００１４】
ハンドル部１は、例えば図２に示すように歯牙と複数の歯科用シェードガイドとを撮影する場合に、後述する前歯の人工歯の形態を模した色見本体２を板状のハンドル部１に対して略直角に回転させ板状のハンドル部１を重ね合わせて持って使用することがあるので板状である。また、ハンドル部１には従来と同様にその幅が細く形成された首部１ｃが設けられていても良い。板状のハンドル部１の一端１ａには、軸１ｂを中心として回動可能に、後述する前歯の人工歯の形態を模した色見本体２と記号表示部３ａを有するタグ３が取り付けられている。
【００１５】
図面中の２は色見本体であり、本発明に係る歯科用シェードガイドでは歯牙の形状による色調への影響が表現可能であることから、人工歯の前歯の形態を模した色見本体２を用いる。色見本体２は、その重心近傍部においてハンドル部１の一端１ａに軸１ｂを中心として回動可能に取り付けられており、任意に回転させることでハンドル部１の向きと患者の歯牙Ｔの向きに自由に合わせることが可能となっている。
【００１６】
図面中３は色見本体２の色を数値やアルファベット等の記号により表示した記号表示部３ａを少なくともその一端（円等であれば縁）近傍に有するタグであり、色見本体２の舌面側に軸１ｂを中心として回動可能に取り付けられている。即ちタグ３と色見本体２は同じ軸１ｂを中心として各々が回動可能に取り付けられているのである。なお、タグ３は色見本体２とハンドル部１との間に挟まれるようにして取り付けられていても良いし、ハンドル部１の色見本体２と反対側に取り付けられていても良い。
【００１７】
タグ３の形状は特に制限されないが、タグ３の記号表示部３ａは色見本体２の唇面側から見たときに、例えば図３に示すように色見本体２の舌側から色見本体２越しに色見本体２の下部（人工歯での歯根方向端）から確認可能であったり、又は図４に示すように色見本体２越しに色見本体２の横側のみから確認される形状であることが必要である。好ましいタグ３の形状は楕円や方形，長方形又はこれらの近似形状である。
【００１８】
記号表示部３ａは色見本体２の歯根方向端又は横側のみから最大で１〜１５ｍｍ，好ましくは１〜７ｍｍ突出して確認され、１ｍｍ未満では記号Ｍが確認できず、１５ｍｍを超えて突出すると本発明の特徴である色見本体２の色調を表す記号Ｍをフレーム内に収まるように撮影した場合に患者の歯牙Ｔからの撮影距離が遠くなってしまうことなく歯牙Ｔと歯科用シェードガイドの色見本体２とを大きく詳細に写真撮影できる効果が失われてしまう。即ち、本発明に係る歯科用シェードガイドは、色見本体２の唇面側から見たときに記号表示部３ａが色見本体２の歯根方向端又は横側のみから最大で１〜１５ｍｍ，好ましくは１〜７ｍｍ程度の突出で色見本体２の色調を表す記号Ｍを表示できるためハンドル部に記号Ｍが表示されている歯科用シェードガイドを用いた図１と比較して患者の歯牙Ｔからの撮影距離が近く歯牙Ｔと歯科用シェードガイドの色見本体２とを大きく詳細に写真撮影することができるのである（図５参照）。
【００１９】
先にも述べたように、タグ３と色見本体２の大きさや形状，軸１ｂによる取り付けの位置の組み合わせ等によってはタグ３を軸１ｂを中心として回転させた場合に図４に示すように色見本体２の左（又は右）の横側から色見本体２越しに表示させることができる。このようにタグ３は、軸１ａを中心として回動可能に取り付けられているのでハンドル部１の向きに対して色見本体２が上向き或いは下向きの等何れの向きであってもタグ３の記号表示部３ａを色見本体２の歯根方向端又は左右横側の任意位置で表示することができる。
【００２０】
本発明に係る歯科用シェードガイドは、記号表示部３ａが色見本体２の歯根方向端のみから突出して確認される状態でタグ３が色見本体２と固定されており、タグ３と色見本体２とが軸１ａを中心として一体で回動可能に取り付けられていると、タグ３と色見本体２とを別々に動かす必要がないので操作性が良く好ましい。
【００２１】
本発明に係る歯科用シェードガイドのもう一つの発明は、板状のハンドル部１の一端１ａに軸１ｂを中心として回動可能に前歯の人工歯の形態を模した色見本体２が取り付けられた歯科用シェードガイドにおいて、色見本体２が歯根方向端に記号表示部３ａを有することを特徴とする歯科用シェードガイドである。
【００２２】
この発明での色見本体２は、色見本体２の色を数値やアルファベット等の記号を表示した記号表示部３ａを前歯の人工歯の形態を模した色見本体２の歯根方向端に有する。そして記号表示部３ａは色見本体２と別部品であっても良いし、図７に示すように色見本体２と一体で形成されていても良い。
【００２３】
本発明に係る歯科用シェードガイドは、何れの発明においても患者の歯牙Ｔと複数の歯科用シェードガイドとを撮影する場合に、図６に示したように色見本体２をハンドル部１の長手方向に対して略直角に回転させ板状のハンドル部１を重ね合わせて持って使用しても、全ての歯科用シェードガイドの記号表示部３ａを色見本体２の歯根方向端又は横側から確認できる。従って、従来の歯科用シェードで問題となっていた色見本体２の色調を表す記号Ｍが板状のハンドル部１に表示されているために最前のハンドル部１に記載されている記号Ｍだけしか写真で確認できないと言う問題（図２参照）が生じないのである。
【図面の簡単な説明】
【００２４】
【図１】従来の歯科用シェードガイドを複数用いて撮影した場合の写真を模式的に示す説明図。
【図２】従来の歯科用シェードガイドを複数用いて写真を撮影した場合の、色見本体を板状のハンドル部の長手方向に対して略直角に回転させ板状のハンドル部を重ね合わせて持って使用した状態を模式的に示す説明図。
【図３ａ】本発明に係る歯科用シェードガイドの一実施例を示す正面図。
【図３ｂ】図３ａに示した歯科用シェードガイドの背面図。
【図４】図３ａに示した歯科用シェードガイドの色見本体を板状のハンドル部の長手方向に対して略直角に回転させた状態を示す正面図。
【図５】図３に示した歯科用シェードガイドを複数用いて撮影した場合の写真を模式的に示す説明図。
【図６】図３に示した歯科用シェードガイドを複数用いて写真を撮影した場合の、色見本体を板状のハンドル部の長手方向に対して略直角に回転させ板状のハンドル部を重ね合わせて持って使用した状態を模式的に示す説明図。
【図７】本発明に係る歯科用シェードガイドの他の発明の一実施例を示す正面図。
【符号の説明】
【００２５】
１  ハンドル部
１ａ  一端
１ｂ  軸
１ｃ  首部
２  色見本体
３  タグ
３ａ  記号表示部
Ｔ  歯牙
Ｍ  記号
【図１】
2006006591.tif 000003
【図２】
2006006591.tif 000004
【図３ａ】
2006006591.tif 000005
【図３ｂ】
2006006591.tif 000006
【図４】
2006006591.tif 000007
【図５】
2006006591.tif 000008
【図６】
2006006591.tif 000009
【図７】
2006006591.tif 000010